(57)【要約】【課題】陳列室の前後面及び側面が開口したオープンショーケースにおいて、陳列室内を均一に冷却する。【解決手段】オープンショーケース１は、断熱壁２の上方に構成された陳列室８の前後面及び側面が開口して成るものであって、陳列室の前後面及び側面の開口上縁及び開口下縁にそれぞれ形成された冷気吐出口及び冷気吸込口と、陳列室下方の断熱壁底面上から陳列室内の中央部を経て上方に渡って構成され、冷気吐出口と冷気吸込口とに連通した冷気ダクトとを備え、陳列室内中央部の冷気ダクトを内部に構成する背面板１３に背面冷気吐出口５２を形成し、この背面冷気吐出口の冷気ダクト側には背面板との間に間隔を存して背面冷気吐出口を覆うカバーを設け、このカバーに連通孔を形成した。【選択図】図３
2005241136.tif 000002
【特許請求の範囲】
【請求項１】
断熱壁の上方に構成された陳列室の前後面及び側面が開口して成るオープンショーケースにおいて、
前記陳列室の前後面及び側面の開口上縁及び開口下縁にそれぞれ形成された冷気吐出口及び冷気吸込口と、
前記陳列室下方の前記断熱壁底面上から前記陳列室内の中央部を経て上方に渡って構成され、前記冷気吐出口と冷気吸込口とに連通した冷気ダクトと、
前記陳列室下方の前記冷気ダクト内に配設された冷却器と、
前記冷気吸込口から前記冷気ダクト内に吸い込まれ、前記冷却器と熱交換した冷気を前記冷気ダクトを経て前記冷気吐出口から吐出させるための送風装置とを備え、
前記陳列室内中央部の冷気ダクトを内部に構成する背面板に背面冷気吐出口を形成し、該背面冷気吐出口の前記冷気ダクト側には前記背面板との間に間隔を存して前記背面冷気吐出口を覆うカバーを設け、該カバーに連通孔を形成したことを特徴とするオープンショーケース。
【請求項２】
前記背面冷気吐出口及びカバーの位置を、前記陳列室内に架設される棚位置に合わせて変更可能としたことを特徴とする請求項１のオープンショーケース。
【請求項３】
前記背面冷気吐出口からの冷気吐出量を調整可能としたことを特徴とする請求項１又は請求項２のオープンショーケース。
【請求項４】
前記陳列室内中央部の冷気ダクトを内部に構成する背面板に、前記陳列室の側面の開口隅角部に向けて冷気を吐出する隅角部用冷気吐出口を形成したことを特徴とする請求項１、請求項２又は請求項３のオープンショーケース。
【請求項５】
前記背面板に凹陥部を上下に渡って形成し、当該凹陥部内に前記隅角部用冷気吐出口を形成したことを特徴とする請求項４のオープンショーケース。
【請求項６】
前記開口上縁の冷気吐出口に設けられたハニカムを備え、前記陳列室の側面の開口隅角部に位置する前記ハニカムを斜め外側下方に指向させたことを特徴とする請求項１、請求項２、請求項３、請求項４又は請求項５のオープンショーケース。
【請求項７】
前記陳列室の前後面の開口上縁に設けられたハニカムを、前記陳列室の側面の開口隅角部まで延在させたことを特徴とする請求項６のオープンショーケース。
【発明の詳細な説明】
【技術分野】
【０００１】
本発明は、陳列室の前後面及び側面が開口して成るオープンショーケースに関するものである。
【背景技術】
【０００２】
従来よりスーパーマーケットやコンビニエンスストアには陳列室の前面が開口して成るオープンショーケースが設置され、陳列室内において飲料や食品などの商品を冷却しながら陳列販売している（例えば、特許文献１参照）。そして、このようなオープンショーケースは店舗内において二台がそれぞれの背面を突き合わせたかたちで列をつくるように設置されるが、この列の端には陳列室が前後面及び一側面において開口した三面開きのオープンショーケースが設置されていた。また、独立して設置されるオープンショーケースでは、前後面と両側の側面が開口した四面開きのものもある。
【特許文献１】特開平４−３５０４８８号公報
【発明の開示】
【発明が解決しようとする課題】
【０００３】
このように陳列室の前後面及び側面が開いたオープンショーケースでは、例えば上記三面開きのものでは列の端面側（一側面の開口側）にも商品を陳列できることになるので、陳列販売効果が向上するものの、陳列室の三面或いは四面が開口している関係上、開口上縁の冷気吐出口から冷気を吐出して陳列室内を均一に冷却することが極めて困難となる問題があった。
【０００４】
本発明は、係る従来の技術的課題を解決するために成されたものであり、陳列室の前後面及び側面が開口したオープンショーケースにおいて、陳列室内を均一に冷却することを目的とする。
【課題を解決するための手段】
【０００５】
本発明のオープンショーケースは、断熱壁の上方に構成された陳列室の前後面及び側面が開口して成るものであって、陳列室の前後面及び側面の開口上縁及び開口下縁にそれぞれ形成された冷気吐出口及び冷気吸込口と、陳列室下方の断熱壁底面上から陳列室内の中央部を経て上方に渡って構成され、冷気吐出口と冷気吸込口とに連通した冷気ダクトと、陳列室下方の冷気ダクト内に配設された冷却器と、冷気吸込口から冷気ダクト内に吸い込まれ、冷却器と熱交換した冷気を冷気ダクトを経て冷気吐出口から吐出させるための送風装置とを備え、陳列室内中央部の冷気ダクトを内部に構成する背面板に背面冷気吐出口を形成し、この背面冷気吐出口の冷気ダクト側には背面板との間に間隔を存して背面冷気吐出口を覆うカバーを設け、このカバーに連通孔を形成したことを特徴とする。
【０００６】
請求項２の発明のオープンショーケースは上記において、背面冷気吐出口及びカバーの位置を、陳列室内に架設される棚位置に合わせて変更可能としたことを特徴とする。
【０００７】
請求項３の発明のオープンショーケースは上記において、背面冷気吐出口からの冷気吐出量を調整可能としたことを特徴とする。
【０００８】
請求項４の発明のオープンショーケースは上記各発明において、陳列室内中央部の冷気ダクトを内部に構成する背面板に、陳列室の側面の開口隅角部に向けて冷気を吐出する隅角部用冷気吐出口を形成したことを特徴とする。
【０００９】
請求項５の発明のオープンショーケースは上記において、背面板に凹陥部を上下に渡って形成し、当該凹陥部内に隅角部用冷気吐出口を形成したことを特徴とする。
【００１０】
請求項６の発明のオープンショーケースは上記各発明において、開口上縁の冷気吐出口に設けられたハニカムを備え、陳列室の側面の開口隅角部に位置するハニカムを斜め外側下方に指向させたことを特徴とする。
【００１１】
請求項７の発明のオープンショーケースは上記において、陳列室の前後面の開口上縁に設けられたハニカムを、陳列室の側面の開口隅角部まで延在させたことを特徴とする。
【発明の効果】
【００１２】
本発明によれば、断熱壁の上方に構成された陳列室の前後面及び側面が開口して成るオープンショーケースにおいて、陳列室の前後面及び側面の開口上縁及び開口下縁にそれぞれ形成された冷気吐出口及び冷気吸込口と、陳列室下方の断熱壁底面上から陳列室内の中央部を経て上方に渡って構成され、冷気吐出口と冷気吸込口とに連通した冷気ダクトと、陳列室下方の冷気ダクト内に配設された冷却器と、冷気吸込口から冷気ダクト内に吸い込まれ、冷却器と熱交換した冷気を冷気ダクトを経て冷気吐出口から吐出させるための送風装置とを備え、陳列室内中央部の冷気ダクトを内部に構成する背面板に背面冷気吐出口を形成したので、陳列室の前後面及び側面の開口の上縁から吐出される冷気によるエアーカーテンに加え、背面冷気吐出口からも陳列室内に冷気を吐出できるので、陳列室内の温度を略均一にすることができるようになる。これにより、前後面及び側面が開口する陳列室内の温度の均一化を図ることができるようになる。
【００１３】
特に、背面冷気吐出口の冷気ダクト側には背面板との間に間隔を存して背面冷気吐出口を覆うカバーを設け、このカバーに連通孔を形成したので、背面冷気吐出口から吐出される冷気の流速を抑えることができる。これにより、開口に形成されるエアーカーテンに与える悪影響も最小限に抑えることができるようになる。
【００１４】
また、請求項２の発明の如く、背面冷気吐出口及びカバーの位置を、陳列室内に架設される棚位置に合わせて変更可能とすれば、棚の位置変更にも対応し、各棚に向けて冷気を支障無く吐出することができるようになる。
【００１５】
更に、請求項３の発明の如く、背面冷気吐出口からの冷気吐出量を調整可能とすれば、陳列商品や外部環境に応じて背面冷気吐出口からの冷気吐出量を調整し、陳列室内をより的確に冷却することができるようになる。
【００１６】
請求項４の発明によれば、上記各発明に加えて陳列室内中央部の冷気ダクトを内部に構成する背面板に、陳列室の側面の開口隅角部に向けて冷気を吐出する隅角部用冷気吐出口を形成したので、どうしても冷え難くなる陳列室側面の開口隅角部の冷却を促進することができるようになる。これにより、陳列室内のより均一な冷却を達成可能となる。
【００１７】
この場合、請求項５の発明の如く背面板に凹陥部を上下に渡って形成し、当該凹陥部内に隅角部用冷気吐出口を形成すれば、隅角部用冷気吐出口からの冷気を的確に開口隅角部に指向させることが可能となると共に、隅角部用冷気吐出口付近の背面板に付着した結露水を、凹陥部内で流下処理することができるので、結露水で商品が汚損する不都合も防止できるようになる。
【００１８】
請求項６の発明によれば、上記各発明に加えて開口上縁の冷気吐出口に設けられたハニカムを備え、陳列室の側面の開口隅角部に位置するハニカムを斜め外側下方に指向させたので、冷気吐出口よりも外側に位置することになる隅角部の冷気吸込口に向けて冷気を吐出できるようになり、隅角部においても安定したエアーカーテンを形成可能となる。
【００１９】
この場合、請求項７の如く陳列室の前後面の開口上縁に設けられたハニカムを、陳列室の側面の開口隅角部まで延在させるようにすれば、前後面の開口上縁のハニカムの端部を上側に反らせることで、開口隅角部に位置することになる部分を容易に外側下方に指向させることが可能となる。
【発明を実施するための最良の形態】
【００２０】
以下、図面に基づき本発明の実施形態を詳述する。図１は本発明を適用した一実施例のオープンショーケース１の斜視図、図２はオープンショーケース１の透視斜視図、図３はオープンショーケース１の背面図、図４はオープンショーケース１の背面冷気吐出口５２部分の正面図、図５は背面冷気吐出口５２部分の縦断側面図、図６はオープンショーケース１の縦断正面図、図７はオープンショーケース１の拡大縦断側面図、図８はオープンショーケース１の側面図をそれぞれ示している。
【００２１】
実施例のオープンショーケース１は、スーパーマーケットやコンビニエンスストアなどの店舗に設置されて飲料や食品を冷却しながら陳列販売するためのショーケースであり、全体として上面が開口する断熱壁２とその上方に設けられた天壁３との間に前後面及び一側面（向かって右側面）の開口４、６、７にて三面が開口した陳列室８が構成されている。断熱壁２は天壁３よりも外側に張り出しており、また、側面開口７の隅角部は湾曲形状とされ、陳列室８の他側面（向かって左側面）は側板９にて閉塞されている。
【００２２】
陳列室８の中央部には、側板９から一側の側面開口７の手前（側面開口７側の陳列室８の背面となる位置）までの範囲で内部中空のダクト部材１１が上下に渡って構成されている。このダクト部材１１は前面開口４側の陳列室８の背面となる背面板１２と、後面開口６側の陳列室８の背面となる背面板１３と、側面開口７側の陳列室８の背面となる背面板１４とにより構成されている。
【００２３】
また、陳列室８の底面には断熱壁２の底面２Ａ上方に間隔を存してデッキパン１６、１７、１８が着脱自在に取り付けられており、デッキパン１６は前面開口４側の陳列室８に、デッキパン１７は後面開口６側の陳列室８に、デッキパン１８は側面開口７側の陳列室８にそれぞれ対応している。そして、前記ダクト部材１１はこのデッキパン１６〜１８から天壁３まで至る寸法で構成されており、各背面板１２、１３、１４の下部１２Ａ、１３Ａ、１４Ａは着脱自在とされている。
【００２４】
そして、このデッキパン１６〜１８と断熱壁２の底面２Ａとの間から前記ダクト部材１１内及び天壁３内には連続した冷気ダクト２１が構成されており、この冷気ダクト２１は陳列室８の前面開口４、後面開口６及び側面開口７の上縁及び下縁にそれぞれ開口形成された前面の冷気吐出口３２、後面の冷気吐出口３３、側面の冷気吐出口３４及び前面の冷気吸込口３６、後面の冷気吸込口３７、側面の冷気吸込口３８に連通している。
【００２５】
また、ダクト部材１１の背面板１２及び１３の両側部には上下に渡って棚支柱４１、４１が取り付けられており、この棚支柱４１、４１には透明板材（ガラス或いは硬質樹脂）から構成された商品陳列用の棚４３・・が複数段架設されている。この場合、各段の棚４３は前面開口４側の陳列室８から側面開口７側の陳列室８を経て後面開口６側の陳列室８に渡って設けられる。
【００２６】
そして、陳列室８下方の断熱壁２の底面２Ａ上の冷気ダクト２１内に冷却装置の冷媒回路を構成する冷却器４４が設置されると共に、この冷却器４４の内側（各冷気吸込口３６〜３８と冷却器４４を挟んで反対側）の冷気ダクト２１内には、断熱壁２の前後方向の中央部に送風装置を構成する第１及び第２の送風機４６、４７が設置されている。尚、この場合、各送風機４６、４７はファンケース４８、４９内にそれぞれ設けられている。
【００２７】
また、断熱壁２の下方には機械室５１が構成されており、この機械室５１内には前記冷却器４４と共に冷却装置の冷媒回路を構成する図示しない圧縮機や凝縮器、凝縮器用送風機などが設置されている。尚、５６は機械室５１の前後面及び側面に設けられた通気口を有するパネルである。
【００２８】
尚、ダクト部材１１の側板９側には上下に渡る内部中空の排気ダクト部材５７内に排気ダクト５８が構成されている。この排気ダクト５８の下端は機械室５１内に開口し、上端は天壁３上面にて開口している。また、排気ダクト部材５７は側板９と交熱的に設けられている。ここで、圧縮機や凝縮器からは廃熱が生じ、凝縮器用送風機は運転されて前面のパネル５６から外気を吸引し、後面や側面のパネル５６から排出するが、この排気の一部は排気ダクト５８内を経て天壁３上方に排出される。
【００２９】
これにより、オープンショーケース１に対向して設置された他のオープンショーケースなどの機器にオープンショーケース１からの排気が悪影響を及ぼす不都合を抑制できるようになる。また、温度の高い排気の通過によって排気ダクト部材５７自体も温度上昇するが、この熱は側板９に伝達される。これにより、側板９への結露も抑制若しくは解消されることになる。
【００３０】
また、冷却器４４は図示しない冷媒配管とそれに交熱的に取り付けられた複数の熱交換用のフィン４４Ｆから構成されており、全体としては図２の透視図に示すように、略馬蹄形状（或いはＵ字状）を呈して陳列室８の前面開口４側から側面開口７側を経て後面開口６まで渡って設けられている。即ち、冷却器４４は陳列室８の前面開口４、後面開口６及び側面開口７にそれぞれ対応するかたちで配設されている。
【００３１】
また、冷却器４４の冷媒配管は陳列室８の前面開口４側から側面開口７側を経て後面開口６側まで渡り、更に、後面開口６側から側面開口７側を経て前面開口４側に戻るというかたちで迂回されており、これにより、冷媒が陳列室８の前面開口４側から側面開口７側を経て後面開口６側まで渡り、迂回しながら流れるように構成されている。
【００３２】
一方、背面板１２、１３の一側（向かって右側）は前後方向に斜めに屈曲し、そのまま側面の背面板１４に連続している（図８〜図１１参照）。そして、この屈曲箇所に対応する位置の背面板１２、１３間には仕切板６１が断熱壁２の底面２Ａから天壁３下面まで渡って設けられており、これによって、冷気ダクト２１は前後面の開口４、６側と側面開口７側とに仕切られている（図６。尚、この図では冷却器４４は示さない）。また、冷気ダクト２１内下部には水平に冷気干渉板６２が取り付けられ、これによって、送風機４６、４７上方の吐出側に高圧室が構成される。また、この冷気干渉板６２より上方の背面板１２、１３間には仕切板６３が上下に渡って設けられ、冷気干渉板６２上方の冷気ダクト２１内を前面開口４側と後面開口６側とに仕切っている。
【００３３】
また、仕切板６１の側面開口７側の冷気ダクト２１上端部は、天壁３内に設けられた図示しない仕切板によって仕切られている。各仕切板は側面冷気吐出口３４及びその前後に連続する前面冷気吐出口３２と後面冷気吐出口３３の端部（隅角部）に向けて放射状に設けられ、これらの冷気吐出口３４、３２、３３に冷気を分配する役割を果たす。
【００３４】
また、前記送風機４６は仕切板６１より側板９側に設置されており、送風機４７は仕切板６１より側面開口７側に設置されている。そして、各送風機４６、４７は運転されると、周囲から冷気を吸い込み、上方に吐出するものである。このとき、デッキパン１６や１７を取り外し、背面板１２、１３の下部１２Ａ、１３Ａを取り外すと、その部分の冷却器４４及び送風機４６は露出する。また、デッキパン１８を取り外し、背面板１４の下部１４Ａを取り外すと、その部分の冷却器４４及び送風機４７は露出する。これにより、ファンケース４８、４９を開けば、送風機４６、４７の交換やメンテナンス、冷却器４４の掃除などを行うことができる。
【００３５】
このような構成で、前記圧縮機が運転されると圧縮機から吐出された高温高圧のガス冷媒は凝縮器で放熱して凝縮し、図示しない減圧装置で減圧された後、冷却器４４の前記冷媒配管に流入する。そして、この冷媒配管中を流れながら冷媒は蒸発し、そのときに冷却作用を発揮する。
【００３６】
このとき、前述の如く冷却器４４は陳列室８の前面開口４、後面開口６及び側面開口７にそれぞれ対応するかたちで配設されており、冷媒配管は陳列室８の前面開口４側から側面開口７側を経て後面開口６側まで渡り、更に、後面開口６側から側面開口７側を経て前面開口４側に戻るというかたちで迂回され、これにより、冷媒が陳列室８の前面開口４側から側面開口７側を経て後面開口６側まで渡り、迂回しながら流れるように構成されている。従って、冷却器４４による冷却作用は陳列室８の前面開口４、後面開口６及び側面開口７に対応する部分で略均等に生じることになる。
【００３７】
そして、送風機４６、４７が運転されると、前後面の冷気吸込口３６、３７から冷気ダクト２１内に吸い込まれた空気が冷却器４４のそれらに対応する部分のフィン４４Ｆ・・と熱交換して冷却され、冷気となって送風機４６、４７に吸い込まれる。そして、上方に吐出されるが、上方には冷気干渉板６２があるために冷気は少許せき止められるかたちとなり、圧力が上昇してそこが高圧室となる。そして、冷気干渉板６２を経た冷気は仕切板６１の側板９側の仕切板６３の前後を分かれて上昇し、天壁３内を経て前後面の冷気吐出口３２、３３から開口４、６に向けて吐出される。
【００３８】
このように高圧室を構成し、且つ、仕切板６３で前後に分けることにより、冷気は前面開口４側と後面開口６側とで均一に吐出されるようになる。そして、冷気は開口にエアーカーテンを構成した後、前後面の冷気吸込口３６、３７から冷気ダクト２１に吸い込まれる循環を繰り返す。
【００３９】
ここで、陳列室８内中央部の冷気ダクト２１を内部に構成するダクト部材１１の背面板１２、１３（背面板１２は前面開口４側の陳列室８の背面となり、背面板１３は後面開口６側の陳列室８の背面となる）には、比較的大なる寸法の背面冷気吐出口５２・・・が複数形成されている（図３、図４）。この背面冷気吐出口５２は、各段の棚４３上側の空間にそれぞれ対応してそれぞれ複数ずつ、上下に複数段に分けて形成されている。また、各段の背面冷気吐出口５２に対応する位置の背面板１２、１３の内面（冷気ダクト２１側）には、背面冷気吐出口５２を覆うカバー５３が取り付けられている。
【００４０】
このカバー５３は断面略コ字状を呈して水平方向に延在しており、背面冷気吐出口５２の後方に対応する位置において、それが取り付けられた背面板１２、１３との間に間隔Ｇを形成している。また、この間隔Ｇの後方に位置する部分のカバー５３上下端には小径の連通孔５４・・・が複数形成されている（図５）。
【００４１】
送風機４６で加速されて冷気ダクト２１内を上昇する冷気の一部は図５中矢印で示すように連通孔５４から間隔Ｇ内に流入し、この間隔Ｇを経て背面冷気吐出口５２から前面開口４側の陳列室８及び後面開口６側の陳列室８の各棚４３上に吐出される。これにより、冷気吐出口３２、３３から吐出される冷気によるエアーカーテンに加え、背面冷気吐出口５２・・からも陳列室８内に冷気を吐出できるので、陳列室８内の温度を一層均一にすることができるようになる。
【００４２】
特に、背面冷気吐出口５２の冷気ダクト２１側には背面板１２、１３との間に間隔Ｇを存して背面冷気吐出口５２を覆うカバー５３を設け、このカバー５３に連通孔５４・・を形成したので、背面冷気吐出口５２から吐出される冷気の流速を抑えることができる。これにより、開口４、６に形成されるエアーカーテンに与える悪影響も最小限に抑えることができるようになる。
【００４３】
尚、背面冷気吐出口５２及びカバー５３の位置を、陳列室８内に架設される棚４３の位置に合わせて変更可能な構造とすれば、棚４３の位置を変更する場合にもそれに対応して移動できるようになり、各棚４３・・に向けて冷気を支障無く吐出することができるようになる。
【００４４】
また、背面冷気吐出口５２にダンパーなどを取り付け、背面冷気吐出口５２からの冷気吐出量を調整可能とすれば、陳列商品や外部環境に応じて背面冷気吐出口５２からの冷気吐出量を調整し、陳列室８内をより的確に冷却することができるようになる。
【００４５】
一方、側面の冷気吸込口３８から冷気ダクト２１内に吸い込まれた空気は冷却器４４のそれに対応する部分のフィン４４Ｆ・・と熱交換して冷却され、冷気となって送風機４７に吸い込まれる。そして、上方に吐出され、同様に高圧室を構成した後、仕切板６１の側面開口７側の冷気ダクト２１内を上昇し、天壁３内に入る。そこで、冷気は前記仕切板により放射状に分配され、側面冷気吐出口３４及びその前後に連続する前面冷気吐出口３２と後面冷気吐出口３３の端部から開口７やその前後の開口４、６端部に向けて吐出される。
【００４６】
このように冷気を分配することにより、冷気は側面冷気吐出口３４及びその前後に連続する前面冷気吐出口３２と後面冷気吐出口３３の端部から均一に吐出されるようになる。そして、冷気は開口７にエアーカーテンを構成した後、側面冷気吸込口３８から冷気ダクト２１に吸い込まれる循環を繰り返す。
【００４７】
ここで、陳列室８内中央部の冷気ダクト２１を内部に構成するダクト部材１１の背面板１４（背面板１４は側面開口７側の陳列室８の背面となる）にも、背面冷気吐出口６６・・が上下に渡って複数形成されている。そして、送風機４７によって加速され、冷気ダクト２１内を上昇する冷気の一部は、この背面冷気吐出口６６・・・から側面開口７側の陳列室８の棚４３上に吐出される。これにより、冷気吐出口３４から吐出される冷気によるエアーカーテンに加え、背面冷気吐出口６６・・からも陳列室８内に冷気を吐出できるので、陳列室８内の温度を一層均一にすることができるようになる。
【００４８】
更に、この背面冷気吐出口６６の両側に位置する背面板１４は上下に渡って切り欠かかれており、この切欠の内側に対応して略断面Ｖ字状を成す凹陥壁６７（背面板１４の一部を構成する）が上下に渡って形成され、この凹陥壁６７内が上下に渡る凹陥部となる。そして、この凹陥部内に位置して凹陥壁６７には、隅角部用冷気吐出口６８がそれぞれ形成されている。この隅角部用冷気吐出口６８、６８は側面開口７の隅角部方向に向けて開口しており、背面板１４の内面（冷気ダクト２１側面）には両隅角部用冷気吐出口６８、６８間に位置して断面山型の風向壁６９が形成されている。
【００４９】
冷気ダクト２１内を上昇する冷気の一部はこの風向壁６９の傾斜面に沿って斜め外側方向に指向され、隅角部用冷気吐出口６８、６８から側面開口７の両隅角部に向けて吐出される（図１０中矢印で示す）。これにより、どうしても冷え難くなる陳列室８側面の開口７の隅角部の冷却を促進することができるようになる。これにより、陳列室８内のより均一な冷却を達成可能となる。この場合、背面板１４に凹陥部を上下に渡って形成し、当該凹陥部内に隅角部用冷気吐出口６８を形成しているので、隅角部用冷気吐出口６８からの冷気を的確に開口隅角部に指向させることが可能となる。また、隅角部用冷気吐出口６８付近の凹陥壁６７に付着した結露水は、凹陥部内を流下して処理されるようになるので、結露水で商品が汚損する不都合も防止できる。
【００５０】
ここで、前後面の開口４、６及び側面の開口７の上縁に位置する冷気吐出口３２、３３、３４には、各吐出口から吐出された冷気を各冷気吸込口３６、３７、３８に指向させるためのハニカム８１、８１、８２が取り付けられている。この場合、前後面の開口４、６の冷気吐出口３２、３３に取り付けられるハニカム８１は、側面の開口７の隅角部まで延在しており、側面の開口７の冷気吐出口３８に取り付けられるハニカム８２は、これらハニカム８１、８１の間に位置している（図１２）。
【００５１】
ここで、ハニカム８１は下面から見ると図１５の如き通路形状を成しているが、当初或る程度厚いものが準備され、その両端を上に反らせた状態で、図１４の如く一定厚みに切り取ることで、平板状とされている。これにより、ハニカム８１の中央部の通路は鉛直方向に指向しており（図１６）、両端部の通路は斜め外側下方に指向することになる（図１７）。従って、側面の開口７の隅角部に位置するハニカム８１は斜め外側下方に指向することになる。また、この部分の下面は外側に行くほど高くなるように傾斜するようカットされている（図１３）。
【００５２】
このように、陳列室８の側面の開口７の隅角部に位置するハニカム８１を斜め外側下方に指向させたので、冷気吐出口３２、３３、３４よりも外側に位置することになる隅角部の冷気吸込口３６、３７、３８に向けて冷気を吐出できるようになり、隅角部においても安定したエアーカーテンを形成可能となる。特に、この場合、図１８の如く４５度カットでハニカム８１、８１、８２を突き合わせるのでは無く、ハニカム８１、８１を側面の開口７の隅角部まで延在させているので（図１２）、ハニカム８１の端部を上側に反らせることで、開口隅角部に位置することになる部分（図１３）を容易に外側下方に指向させることが可能となるものである。
【００５３】
尚、実施例では前後面と一側面の合計三面が開口したオープンショーケースで本発明を説明したが、それに限らず、前後面及び両側面の周囲四面全てが開口したオープンショーケースに本発明は有効である。
【図面の簡単な説明】
【００５４】
【図１】本発明を適用した一実施例のオープンショーケースの斜視図である。
【図２】図１のオープンショーケースの透視斜視図である。
【図３】図１のオープンショーケースの背面図である。
【図４】図１のオープンショーケースの背面冷気吐出口部分の正面図である。
【図５】図４の背面冷気吐出口部分の縦断側面図である。
【図６】図１のオープンショーケースの縦断正面図である。
【図７】図１のオープンショーケースの拡大縦断側面図である。
【図８】図１のオープンショーケースの側面図である。
【図９】図１の側面開口の背面板の正面図である。
【図１０】図９の背面板の平断面図である。
【図１１】図１の側面開口部分のオープンショーケースの平断面図である。
【図１２】図１のオープンショーケースの開口上縁の冷気吐出口に取り付けられるハニカムの平面図である。
【図１３】図１２の円Ａ部分の拡大断面図である。
【図１４】図１のオープンショーケースの前後の開口の冷気吐出口のハニカムの縦断面図である。
【図１５】図１４のハニカムの下面図である。
【図１６】図１４の円Ｂ部分の拡大断面図である。
【図１７】図１４の円Ｃ部分の拡大断面図である。
【図１８】ハニカムの組立構造の比較例を示す図である。
【符号の説明】
【００５５】
１  オープンショーケース
２  断熱壁
２Ａ  底面
３  天壁
４  前面開口
６  後面開口
７  側面開口
８  陳列室
９  側板
１１  ダクト部材
１２、１３、１４  背面板
２１  冷気ダクト
３２〜３４  冷気吐出口
３６〜３８  冷気吸込口
４４  冷却器
４６、４７  送風機
５２、６６  背面冷気吐出口
５３  カバー
５４  連通孔
６８  隅角部用冷気吐出口
８１、８２  ハニカム
【図１】
2005241136.tif 000003
【図２】
2005241136.tif 000004
【図３】
2005241136.tif 000005
【図４】
2005241136.tif 000006
【図５】
2005241136.tif 000007
【図６】
2005241136.tif 000008
【図７】
2005241136.tif 000009
【図８】
2005241136.tif 000010
【図９】
2005241136.tif 000011
【図１０】
2005241136.tif 000012
【図１１】
2005241136.tif 000013
【図１２】
2005241136.tif 000014
【図１３】
2005241136.tif 000015
【図１４】
2005241136.tif 000016
【図１５】
2005241136.tif 000017
【図１６】
2005241136.tif 000018
【図１７】
2005241136.tif 000019
【図１８】
2005241136.tif 000020